(57)【要約】【課題】２つのランキング情報の間の順位の変動を分かり易く表示する。【解決手段】表示部は、９月３０日付けのランキング情報に基づいて、ランキング画面を表示する。特定部は、８月３０日付けのランキング情報への変更指示が入力されると、これらのランキング情報の間で順位が変動したアプリケーションを特定する。表示制御部は、特定部により特定されたアプリケーションを示す画像を順位の変動に応じて変化させることにより、表示部に表示されたランキング画面を８月３０日付けのランキング情報に基づくランキング画面に切り替える。【選択図】図７
2015141661.tif 000002
【特許請求の範囲】
【請求項１】
各々、複数の項目と当該複数の項目に付された順位とを示す複数のランキング情報を記憶する記憶部と、
前記記憶部に記憶された前記複数のランキング情報に含まれる第１ランキング情報に基づいて、前記複数の項目を示す複数の画像が当該複数の項目に付された順位に従って並べて配置された画面を表示する表示部と、
前記複数のランキング情報に含まれる第２ランキング情報への変更指示が入力されると、前記第１ランキング情報と前記第２ランキング情報との間で順位が変動した項目を特定する特定部と、
前記特定部により特定された項目を示す画像を前記順位の変動に応じて変化させることにより、前記画面を前記第２ランキング情報に基づく画面に切り替える表示制御部と
を備える表示装置。
【請求項２】
前記複数の画像は、所定の方向に並べて配置され、
前記表示制御部は、
前記順位の変動が所定の範囲内における下降である場合には、前記画像を前記所定の方向に移動させ、
前記順位の変動が前記所定の範囲内から範囲外への下降である場合には、前記画像を徐々に縮小しながら消滅させ、
前記順位の変動が前記所定の範囲内における上昇である場合には、前記画像を前記所定の方向と逆方向に移動させ、
前記順位の変動が前記所定の範囲外から範囲内への上昇である場合には、前記画像を徐々に拡大しながら出現させる
請求項１に記載の表示装置。
【請求項３】
前記複数のランキング情報には、それぞれ日付又は時間が付され、
前記表示制御部は、前記第１ランキング情報に付された日付又は時間から前記第２ランキング情報に付された日付又は時間までの期間に応じて、前記画像を強調して表示する
請求項１又は２に記載の表示装置。
【請求項４】
前記表示制御部は、前記特定部により複数の項目が特定され、当該複数の項目を示す複数の画像の変化の仕方が異なる場合には、当該複数の画像を順番に変化させる
請求項１から３のいずれか１項に記載の表示装置。
【請求項５】
前記複数のランキング情報には、それぞれ日付又は時間が付され、
前記表示制御部は、前記第２ランキング情報に付された日付又は時間が、前記第１ランキング情報に付された日付又は時間より前か後かに応じて、前記画像の変化の仕方を変える
請求項１から４のいずれか１に記載の表示装置。
【請求項６】
記憶部に記憶された複数のランキング情報に含まれる第１ランキング情報に基づいて、複数の項目を示す複数の画像が当該複数の項目に付された順位に従って並べて配置された画面を表示するステップと、
前記複数のランキング情報に含まれる第２ランキング情報への変更指示が入力されると、前記第１ランキング情報と前記第２ランキング情報との間で順位が変動した項目を特定するステップと、
前記特定された項目を示す画像を前記順位の変動に応じて変化させることにより、前記画面を前記第２ランキング情報に基づく画面に切り替えるステップと
を備える表示方法。
【請求項７】
コンピュータに、
記憶部に記憶された複数のランキング情報に含まれる第１ランキング情報に基づいて、複数の項目を示す複数の画像が当該複数の項目に付された順位に従って並べて配置された画面を表示するステップと、
前記複数のランキング情報に含まれる第２ランキング情報への変更指示が入力されると、前記第１ランキング情報と前記第２ランキング情報との間で順位が変動した項目を特定するステップと、
前記特定された項目を示す画像を前記順位の変動に応じて変化させることにより、前記画面を前記第２ランキング情報に基づく画面に切り替えるステップと
を実行させるためのプログラム。
【発明の詳細な説明】
【技術分野】
【０００１】
本発明は、ランキング情報を表示する技術に関する。
【背景技術】
【０００２】
ランキング情報を表示する技術として、特許文献１及び２に記載の技術が知られている。例えば特許文献１には、ランキング表を表示するときに、前回の順位を基準とした最新の順位の変動状態を表す矢印を表示することが記載されている。特許文献２には、１つ前のランキングに存在せず、新たにランクインしたランキングアイテムに対して、ランキングアイテムの文字の大きさ、色、フォントを含む文字属性及びマークの付加により識別表示を行うことが記載されている。
【先行技術文献】
【特許文献】
【０００３】
【特許文献１】特開平９−１７１５３０号公報
【特許文献２】特開２００４−３３４５８８号公報
【発明の概要】
【発明が解決しようとする課題】
【０００４】
しかし、例えば特許文献１に記載の技術のように、矢印によって順位の変動を表す場合には、順位が上昇したか下降したかを認識するのにいちいち矢印の向きを確認しなければならず、順位の変動を直感的に把握することができない。
本発明は、２つのランキング情報の間の順位の変動を分かり易く表示することを目的とする。
【課題を解決するための手段】
【０００５】
本発明は、各々、複数の項目と当該複数の項目に付された順位とを示す複数のランキング情報を記憶する記憶部と、前記記憶部に記憶された前記複数のランキング情報に含まれる第１ランキング情報に基づいて、前記複数の項目を示す複数の画像が当該複数の項目に付された順位に従って並べて配置された画面を表示する表示部と、前記複数のランキング情報に含まれる第２ランキング情報への変更指示が入力されると、前記第１ランキング情報と前記第２ランキング情報との間で順位が変動した項目を特定する特定部と、前記特定部により特定された項目を示す画像を前記順位の変動に応じて変化させることにより、前記画面を前記第２ランキング情報に基づく画面に切り替える表示制御部とを備える表示装置を提供する。
【０００６】
前記複数の画像は、所定の方向に並べて配置され、前記表示制御部は、前記順位の変動が所定の範囲内における下降である場合には、前記画像を前記所定の方向に移動させ、前記順位の変動が前記所定の範囲内から範囲外への下降である場合には、前記画像を徐々に縮小しながら消滅させ、前記順位の変動が前記所定の範囲内における上昇である場合には、前記画像を前記所定の方向と逆方向に移動させ、前記順位の変動が前記所定の範囲外から範囲内への上昇である場合には、前記画像を徐々に拡大しながら出現させてもよい。
【０００７】
前記複数のランキング情報には、それぞれ日付又は時間が付され、前記表示制御部は、前記第１ランキング情報に付された日付又は時間から前記第２ランキング情報に付された日付又は時間までの期間に応じて、前記画像を強調して表示してもよい。
【０００８】
前記表示制御部は、前記特定部により複数の項目が特定され、当該複数の項目を示す複数の画像の変化の仕方が異なる場合には、当該複数の画像を順番に変化させてもよい。
【０００９】
前記複数のランキング情報には、それぞれ日付又は時間が付され、前記表示制御部は、前記第２ランキング情報に付された日付又は時間が、前記第１ランキング情報に付された日付又は時間より前か後かに応じて、前記画像の変化の仕方を変えてもよい。
【００１０】
本発明は、記憶部に記憶された複数のランキング情報に含まれる第１ランキング情報に基づいて、複数の項目を示す複数の画像が当該複数の項目に付された順位に従って並べて配置された画面を表示するステップと、前記複数のランキング情報に含まれる第２ランキング情報への変更指示が入力されると、前記第１ランキング情報と前記第２ランキング情報との間で順位が変動した項目を特定するステップと、前記特定された項目を示す画像を前記順位の変動に応じて変化させることにより、前記画面を前記第２ランキング情報に基づく画面に切り替えるステップとを備える表示方法を提供する。
【００１１】
本発明は、コンピュータに、記憶部に記憶された複数のランキング情報に含まれる第１ランキング情報に基づいて、複数の項目を示す複数の画像が当該複数の項目に付された順位に従って並べて配置された画面を表示するステップと、前記複数のランキング情報に含まれる第２ランキング情報への変更指示が入力されると、前記第１ランキング情報と前記第２ランキング情報との間で順位が変動した項目を特定するステップと、前記特定された項目を示す画像を前記順位の変動に応じて変化させることにより、前記画面を前記第２ランキング情報に基づく画面に切り替えるステップとを実行させるためのプログラムを提供する。
【発明の効果】
【００１２】
本発明によれば、２つのランキング情報の間の順位の変動を分かり易く表示することができる。
【図面の簡単な説明】
【００１３】
【図１】携帯端末のハードウェア構成を示す図である。
【図２】ランキング情報の一例を示す図である。
【図３】携帯端末の機能構成を示す図である。
【図４】ランキング画面の表示処理を示すフローチャートである。
【図５】ランキング画面の一例を示す図である。
【図６】ランキング情報の変更の一例を示す図である。
【図７】画像の変化の一例を示す図である。
【図８】Ｙ方向に移動する画像の一例を示す図である。
【図９】徐々に縮小しながら消滅する画像の一例を示す図である。
【図１０】−Ｙ方向に移動する画像の一例を示す図である。
【図１１】徐々に拡大しながら出現する画像の一例を示す図である。
【図１２】切り替え後のランキング画面の一例を示す図である。
【図１３】変形例に係る優先順位の一例を示す図である。
【図１４】変形例に係る画像の変化の一例を示す図である。
【図１５】変形例に係る拡大した後消滅する画像の一例を示す図である。
【図１６】変形例に係る所定のサイズより大きいサイズで出現した後、縮小する画像の一例を示す図である。
【発明を実施するための形態】
【００１４】
１．構成
図１は、携帯端末１０のハードウェア構成を示す図である。携帯端末１０は、例えば携帯電話機やスマートフォンである。携帯端末１０は、プロセッサ１１と、メインメモリ１２と、通信部１３と、音声入出力部１４と、入力部１５と、表示部１６と、記憶部１７とを備える。
【００１５】
プロセッサ１１は、例えばＣＰＵ（Central Processing Unit）により構成される。プロセッサ１１は、記憶部１７に記憶されたプログラムを実行することにより、携帯端末１０の各部を制御する。メインメモリ１２は、例えばＲＡＭ（Random Access Memory）により構成される。メインメモリ１２は、プログラムやデータを一時的に記憶する。メインメモリ１２は、プロセッサ１１がプログラムを実行する際の作業領域として用いられる。通信部１３は、ネットワークに接続される通信用のインタフェースである。通信部１３は、ネットワークを介して他の携帯端末１０と通信を行う。
【００１６】
音声入出力部１４は、例えばマイクロフォンとスピーカとにより構成される。音声入出力部１４は、音声の入出力を行う。入力部１５は、例えばタッチパネルとキーとにより構成される。入力部１５は、ユーザの操作に応じた信号をプロセッサ１１に入力する。表示部１６は、例えば液晶ディスプレイにより構成される。表示部１６は、各種の情報を表示する。記憶部１７は、例えばフラッシュメモリにより構成される。記憶部１７には、各種のプログラムやデータが記憶される。
【００１７】
記憶部１７には、複数のランキング情報１７１が記憶される。図２は、ランキング情報１７１の一例を示す図である。このランキング情報１７１は、複数のアプリケーション（項目の一例）とその人気順位とを示す。ランキング情報１７１には、順位と、アプリケーション情報とが含まれる。順位は、アプリケーションの人気順位である。２０位以内の順位は圏内（所定の範囲の一例）となり、２０位より下の順位は圏外となる。アプリケーション情報は、アプリケーションを示す情報である。アプリケーション情報には、アプリケーションの識別情報が含まれる。この識別情報は、例えばアプリケーションの名称である。また、アプリケーション情報には、アプリケーションのアイコンのサムネイル画像や、アプリケーションの内容を説明する情報が含まれてもよい。
【００１８】
また、ランキング情報１７１には、日付が付される。図２に示す例では、ランキング情報１７１には、「９月３０日」という日付が付されている。これは、このランキング情報１７１が９月３０日付けの情報であることを示す。
【００１９】
図３は、携帯端末１０の機能構成を示す図である。携帯端末１０は、本発明に係る表示装置の一例である。携帯端末１０は、プロセッサ１１が１又は複数のプログラムを実行することにより、特定部１１１及び表示制御部１１２として機能する。表示部１６には、記憶部１７に記憶されたいずれか１のランキング情報１７１に基づいて、ランキング画面１６１が表示される。特定部１１１は、他のランキング情報１７１への変更指示が入力されると、変更前のランキング情報１７１と変更後のランキング情報１７１との間で順位が変動したアプリケーションを特定する。表示制御部１１２は、特定部１１１により特定されたアプリケーションを示す画像を順位の変動に応じて変化させることにより、表示部１６に表示されたランキング画面１６１を、変更後のランキング情報１７１に基づくランキング画面１６１に切り替える。
【００２０】
２．動作
図４は、ランキング画面１６１の表示処理を示すフローチャートである。この表示処理は、例えばランキング画面１６１の表示指示が入力されたときに開始される。
【００２１】
ステップＳ１０１において、表示制御部１１２は、記憶部１７に記憶された複数のランキング情報１７１のうちのいずれか１のランキング情報１７１に基づいて、ランキング画面１６１を表示部１６に表示する。例えば、表示制御部１１２は、最新のランキング情報１７１に基づいて、ランキング画面１６１を表示する。
【００２２】
図５は、このとき表示されるランキング画面１６１の一例を示す図である。このランキング画面１６１は、図２に示す９月３０日付けのランキング情報１７１（第１ランキング情報の一例）に基づいて表示されている。９月３０日付けのランキング情報１７１では、アプリケーションＡ１が１位、アプリケーションＡ２が２位、アプリケーションＡ３が３位、アプリケーションＡ４が４位になっている。この場合、ランキング画面１６１の領域Ｒ１には、これらのアプリケーションＡ１〜Ａ４を示す画像２１〜２４が表示される。この画像２１〜２４は、アプリケーションＡ１〜Ａ４の順位に従ってＹ方向（所定の方向の一例）に並べて配置される。
【００２３】
具体的には、領域Ｒ１の１行目には、１位のアプリケーションＡ１を示す画像２１が表示される。領域Ｒ１の２行目には、２位のアプリケーションＡ２を示す画像２２が表示される。領域Ｒ１の３行目には、３位のアプリケーションＡ３を示す画像２３が表示される。領域Ｒ１の４行目には、４位のアプリケーションＡ４を示す画像２４が表示される。なお、５位以降の順位のアプリケーションを示す画像については、例えばユーザがスクロール操作を行うことにより表示される。
【００２４】
また、ランキング画面１６１の領域Ｒ２には、スライドバー３０が表示される。このスライドバー３０は、時間軸を示すバー３１とスライダ３２とにより構成される。バー３１には、時間軸に沿って目盛りが付される。ユーザは、スライダ３２をバー３１に沿って移動することにより、日付を指定する。
【００２５】
例えば、８月３０日付けのランキング情報１７１を閲覧したい場合、ユーザは、スライダ３２をバー３１に沿って移動することにより、８月３０日を指定する。これにより、８月３０日付けのランキング情報１７１への変更指示が入力される。この変更指示が入力されると、ステップＳ１０２に進む。
【００２６】
ステップＳ１０２において、特定部１１１は、変更前のランキング情報１７１と変更後のランキング情報１７１との間で、表示対象となるアプリケーションの順位を比較する。図５に示す例では、１位から４位のアプリケーションが表示対象となる。この場合、変更前のランキング情報１７１において１位から４位のアプリケーション及び変更後のランキング情報１７１において１位から４位のアプリケーションについて、変更前のランキング情報１７１と変更後のランキング情報１７１との間で順位が比較される。
【００２７】
ステップＳ１０３において、特定部１１１は、変更前のランキング情報１７１と変更後のランキング情報１７１との間で、順位が変動したアプリケーションを特定する。図６は、ランキング情報１７１の変更の一例を示す図である。図６に示す例では、アプリケーションＡ３の順位が３位から６位に下降し、アプリケーションＡ４の順位が４位から２１位に下降している。また、アプリケーションＡ５の順位が１０位から３位に上昇し、アプリケーションＡ６の順位が２１位から４位に上昇している。なお、アプリケーションＡ１、Ａ２の順位は、１位、２位のまま変わらない。この場合には、アプリケーションＡ３、Ａ４、Ａ５及びＡ６が特定される。
【００２８】
ステップＳ１０４において、表示制御部１１２は、特定部１１１により特定されたアプリケーションを示す画像を、順位の変動に応じて変化させる。図７は、画像の変化の一例を示す図である。
【００２９】
図７に示す例では、アプリケーションの順位が圏内において下降する場合には、そのアプリケーションを示す画像がＹ方向に沿って元の順位に対応する位置から新たな順位に対応する位置へと移動する。なお、新たな順位が表示範囲外である場合には、画面外の位置が移動の終了位置となる。例えばアプリケーションＡ３は、順位が３位（圏内）から６位（圏内）に下降している。この場合、図８に示すように、アプリケーションＡ３を示す画像２３は、Ｙ方向に沿って移動し、画面のＹ方向の端から画面外に出る。
【００３０】
アプリケーションの順位が圏内から圏外へと下降する場合には、元の順位に対応する位置において、そのアプリケーションを示す画像が中心に向かって徐々に縮小しながら消滅する。例えばアプリケーションＡ４は、順位が４位（圏内）から２１位（圏外）に下降している。この場合、図９に示すように、アプリケーションＡ４を示す画像２４は、領域Ｒ
１の４行目の位置において、中心に向かって徐々に縮小しながら消滅する。
【００３１】
アプリケーションの順位が圏内において上昇する場合には、そのアプリケーションを示す画像が−Ｙ方向に沿って元の順位に対応する位置から新たな順位に対応する位置へと移動する。なお、元の順位が表示範囲外である場合には、画面外の位置が移動の開始位置となる。例えばアプリケーションＡ５は、順位が１０位（圏内）から３位（圏内）に上昇している。この場合、図１０に示すように、アプリケーションＡ５を示す画像２５は、画面のＹ方向の端から画面内に入り、−Ｙ方向に沿って領域Ｒ１の３行目の位置へと移動する。
【００３２】
アプリケーションの順位が圏外から圏内へと上昇する場合には、新たな順位に対応する位置において、そのアプリケーションを示す画像が中心から徐々に拡大しながら出現する。このとき、画像は、一旦所定のサイズより大きいサイズまで拡大した後、所定のサイズに戻る。例えばアプリケーションＡ６は、順位が２１位（圏外）から４位（圏内）に上昇している。この場合、図１１に示すように、アプリケーションＡ６を示す画像２６は、領域Ｒ１の４行目の位置において、中心から徐々に拡大しながら出現する。この画像２６は、一旦１．１倍のサイズまで拡大した後、１．０倍のサイズに戻る。
【００３３】
ステップＳ１０５において、表示制御部１１２は、ステップＳ１０４にて画像を変化させることにより、表示部１６に表示されたランキング画面１６１を、変更後のランキング情報１７１に基づくランキング画面１６１に切り替える。図１２は、切り替え後のランキング画面１６１の一例を示す図である。このランキング画面１６１の領域Ｒ１には、図６に示す８月３０日付けのランキング情報１７１に基づいて、１位から４位のアプリケーションＡ１、Ａ２、Ａ５及びＡ６を示す画像２１、２２、２５及び２６が表示される。この画像２１、２２、２５及び２６は、アプリケーションＡ１、Ａ２、Ａ５及びＡ６の順位に従ってＹ方向に並べて配置される。
【００３４】
本実施形態によれば、ユーザは、最新のランキング情報１７１だけでなく、過去の所望の日付のランキング情報１７１も閲覧することができる。また、本実施形態では、２つのランキング情報１７１の間でアプリケーションの順位が変動した場合には、そのアプリケーションを示す画像が変化する。さらに、アプリケーションの順位が圏内において上昇したか、圏外から圏内へと上昇したか、圏内において下降したか、圏内から圏外へと下降したかによって、画像の変化の仕方が変わる。これにより、２つのランキング情報１７１間の順位の変動を容易に認識することができる。
【００３５】
３．変形例
本発明は、上述した実施形態に限定されない。例えば、上述した実施形態を以下のように変形してもよい。また、以下の変形例を組み合わせてもよい。
【００３６】
上述した実施形態において、アプリケーションの順位が短期間で変動した場合、そのアプリケーションは注目すべきアプリケーションである可能性がある。したがって、表示制御部１１２は、変更前のランキング情報１７１に付された日付から変更後のランキング情報１７１に付された日付までの期間に応じて、画像を強調して表示してもよい。
【００３７】
具体的には、表示制御部１１２は、変更前のランキング情報１７１に付された日付から変更後のランキング情報１７１に付された日付までの期間を計算する。例えば、変更前のランキング情報１７１に付された日付が９月３０日であり、変更後のランキング情報１７１に付された日付が８月３０日である場合、期間は１ヶ月となる。一方、変更前のランキング情報１７１に付された日付が９月３０日であり、変更後のランキング情報１７１に付された日付が９月２３日である場合、期間は１週間となる。
【００３８】
表示制御部１１２は、計算した期間が短いほど、画像の変化を強調して表示する。例えば、表示制御部１１２は、期間が短いほど、画像を拡大する。また、表示制御部１１２は、期間が短いほど、画像の色を目立つ色に変更したり、画像に付加される装飾用の画像を増やしたりしてもよい。
【００３９】
上述した実施形態で説明したように、ステップＳ１０３で複数のアプリケーションが特定され、この複数のアプリケーションを示す複数の画像の変化が異なる場合、表示制御部１１２は、複数の画像を一斉に変化させてもよいし、画像の変化を見易くするために、複数の画像を順番に変化させてもよい。
【００４０】
さらに、表示制御部１１２は、アプリケーションの順位に従って画像を順番に変化させてもよい。例えば、実施形態で説明したように、ステップＳ１０３で３位のアプリケーションＡ３と４位のアプリケーションＡ４とが特定された場合、表示制御部１１２は、３位のアプリケーションＡ３を示す画像２３を変化させた後、４位のアプリケーションＡ４を示す画像２４を変化させてもよい。
【００４１】
また、表示制御部１１２は、アプリケーションの順位の変動に応じて画像に優先順位を付与し、優先順位に従って画像を順番に変化させてもよい。図１３は、本変形例に係る優先順位の一例を示す図である。図１３に示す例では、アプリケーションの順位が圏内から圏外に下降した場合には、そのアプリケーションを示す画像に優先順位「１」が付与される。アプリケーションの順位が圏内において下降した場合には、そのアプリケーションを示す画像に優先順位「２」が付与される。アプリケーションの順位が圏内において上昇した場合には、そのアプリケーションを示す画像に優先順位「３」が付与される。アプリケーションの順位が圏外から圏内に上昇した場合には、そのアプリケーションを示す画像に優先順位「４」が付与される。
【００４２】
例えば、実施形態で説明したように、ステップＳ１０３でアプリケーションＡ３、Ａ４、Ａ５及びＡ６が特定された場合、表示制御部１１２は、順位が３位（圏内）から６位（圏内）に下降したアプリケーションＡ３を示す画像２３に優先順位「２」、順位が４位（圏内）から２１位（圏外）に下降したアプリケーションＡ４を示す画像２４に優先順位「１」、順位が１０位（圏内）から３位（圏内）に上昇したアプリケーションＡ５を示す画像２５に優先順位「３」、順位が２１位（圏外）から４位（圏内）に上昇したアプリケーションＡ６を示す画像２６に優先順位「４」を付与する。表示制御部１１２は、最初に優先順位が最も大きい画像２４を変化させる。表示制御部１１２は、２番目に優先順位が２番目に大きい画像２３を変化させる。表示制御部１１２は、３番目に優先順位が３番目に大きい画像２５を変化させる。表示制御部１１２は、最後に優先順位が最も小さい画像２６を変化させる。
【００４３】
上述した実施形態では、ランキング情報１７１をより古い日付のランキング情報１７１に変更する例について説明した。しかし、ランキング情報１７１をより新しい日付のランキング情報１７１に変更する場合もある。例えば図１２に示すように、８月３０日付けのランキング情報１７１に基づいてランキング画面１６１が表示されているときに、ユーザによりスライダ３２が移動され９月３０日が指定された場合には、ランキング情報１７１がより新しい日付のランキング情報１７１に変更される。
【００４４】
ところで、ランキング情報１７１をより古い日付のランキング情報１７１に変更する場合と、ランキング情報１７１をより新しい日付のランキング情報１７１に変更する場合とでは、順位の変動の意味合いが違ってくる。したがって、表示制御部１１２は、変更後のランキング情報１７１に付された日付が、変更前のランキング情報１７１に付された日付より前か後かに応じて、画像の変化の仕方を変えてもよい。なお、ここでは、ランキング情報１７１をより古い日付のランキング情報１７１に変更することを、ランキング情報１７１を「時間軸の逆方向」に沿って変更するという。また、ランキング情報１７１をより新しい日付のランキング情報１７１に変更することを、ランキング情報１７１を「時間軸の順方向」に沿って変更するという。
【００４５】
図１４は、本変形例に係る画像の変化の一例を示す図である。図１４に示す例では、ランキング情報１７１が時間軸の順方向に沿って変更される場合において、アプリケーションの順位が圏内から圏外に下降するときは、実施形態と同様に、元の順位に対応する位置において、そのアプリケーションを示す画像が中心に向かって徐々に縮小しながら消滅する。一方、ランキング情報１７１が時間軸の逆方向に沿って変更される場合において、アプリケーションの順位が圏内から圏外に下降するときは、元の順位に対応する位置において、そのアプリケーションを示す画像が拡大した後消滅する。
【００４６】
例えば、ランキング情報１７１が図６に示す９月３０日付けのランキング情報１７１から８月３０日付けのランキング情報１７１に変更される場合、アプリケーションＡ４は、順位が４位（圏内）から２１位（圏外）に下降している。この場合、図１５に示すように、アプリケーションＡ４を示す画像２４は、領域Ｒ１の４行目の位置において、１．１倍のサイズまで拡大した後、消滅する。
【００４７】
また、ランキング情報１７１が時間軸の逆方向に沿って変更される場合において、アプリケーションの順位が圏外から圏内に上昇するときは、実施形態と同様に、新たな順位に対応する位置において、そのアプリケーションを示す画像が中心から徐々に拡大しながら出現する。一方、ランキング情報１７１が時間軸の順方向に沿って変更される場合において、アプリケーションの順位が圏外から圏内に上昇するときは、新たな順位に対応する位置において、そのアプリケーションを示す画像が所定のサイズより大きいサイズで出現した後、縮小して所定のサイズとなる。
【００４８】
例えば、ランキング情報１７１が図６に示す８月３０日付けのランキング情報１７１から９月３０日付けのランキング情報１７１に変更される場合、アプリケーションＡ４は、順位が２１位（圏外）から４位（圏内）に上昇している。この場合、図１６に示すように、アプリケーションＡ４を示す画像２４は、領域Ｒ１の４行目の位置において、１．１倍のサイズで出現した後、縮小して１．０倍のサイズとなる。
【００４９】
画像の変化は、実施形態で説明した例に限定されない。例えば、画像が移動する場合、画像の移動方向は、概ねＹ方向又は−Ｙ方向であれば、完全にＹ方向又は−Ｙ方向と一致しなくてもよい。また、画像の移動速度は、一定であってもよいし、一定の周期で変化してもよいし、途中で速くなったり遅くなったりしてもよい。さらに、画像がＹ方向に移動する場合、画像は、画面のＹ方向の端において、透明度が徐々に上昇することにより消滅してもよい。画像が−Ｙ方向に移動する場合、画像は、画面のＹ方向の端において、透明な状態から徐々に透明度が低下することにより出現してもよい。画像が拡大又は縮小する場合、画像は、中心以外の位置を基準として拡大又は縮小してもよい。さらに、画像が徐々に縮小しながら消滅する場合、画像は、透明度が徐々に上昇することにより消滅してもよい。画像が徐々に拡大しながら出現する場合、画像は、透明な状態から徐々に透明度が低下することにより出現してもよい。
【００５０】
上述した実施形態では、ランキング情報１７１が、アプリケーションとアプリケーションの人気順位を示す情報である例について説明したが、ランキング情報１７１はこれに限定されない。ランキング情報１７１は、項目と項目に付された順位を示す情報であれば、どのような情報であってもよい。例えばランキング情報１７１は、アプリケーションとアプリケーションの利用回数に基づく順位とを示す情報であってもよい。ランキング情報１７１は、携帯端末１０を用いてメールの送受信を行った相手と、メールの送受信を行った回数に基づく順位とを示す情報であってもよい。
【００５１】
上述した実施形態では、ランキング情報１７１には、集計日等の日付が付されていたが、この日付に代えて期間が付されていてもよい。例えば、ランキング情報１７１が１２月１１日から１２月１９日の期間の情報を集計したものである場合、このランキング情報１７１には、「１２月１１日〜１２月１９日」という期間が付されていてもよい。また、ランキング情報１７１には、日付とともに又は日付に代えて、時間が付されてもよい。
【００５２】
上述した実施形態では、携帯端末１０の機能はいずれもソフトウェアにより実現されていたが、これらの機能の少なくとも一部がハードウェアにより実現されてもよい。
【００５３】
上述した実施形態では、本発明を携帯端末１０に適用した例を説明したが、本発明の対象となる装置は携帯端末１０に限定されない。本発明は、ランキング情報１７１を表示する装置であれば、どのような装置に適用されてもよい。例えば、本発明は、パーソナルコンピュータやゲーム機に適用されてもよい。
【００５４】
携帯端末１０のプロセッサ１１により実行されるプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５５】
１０：携帯端末、１１：プロセッサ、１２：メインメモリ、１３：通信部、１４：音声入出力部、１５：入力部、１６：表示部、１７：記憶部、１１１：特定部、１１２：表示制御部。
【図１】
2015141661.tif 000003
【図２】
2015141661.tif 000004
【図３】
2015141661.tif 000005
【図４】
2015141661.tif 000006
【図５】
2015141661.tif 000007
【図６】
2015141661.tif 000008
【図７】
2015141661.tif 000009
【図８】
2015141661.tif 000010
【図９】
2015141661.tif 000011
【図１０】
2015141661.tif 000012
【図１１】
2015141661.tif 000013
【図１２】
2015141661.tif 000014
【図１３】
2015141661.tif 000015
【図１４】
2015141661.tif 000016
【図１５】
2015141661.tif 000017
【図１６】
2015141661.tif 000018